(57)【要約】【課題】従来技術に比較して構成がきわめて簡単であって低コストであり、ＱＰＳＫとＡＳＫとのうちの１つに選択的に切り換えて変調する。【解決手段】ＱＰＳＫ変調器６０は、互いに実質的に直交する複数値のＩ軸信号と複数値のＱ軸信号とに基づいて、搬送波をＱＰＳＫで変調してＱＰＳＫ信号を出力する。ＱＰＳＫ用ベースバンド処理部１、ＡＳＫ用ベースバンド処理部２及び送信共通信号処理部１１は、ＡＳＫの選択を表す選択信号に応答して、入力されるディジタルデータ信号に基づいて、Ｉ軸とＱ軸の交点とＩ軸上の信号点との間で変化する２値のＩ軸信号と、ゼロ値のＱ軸信号を発生してＱＰＳＫ変調器に入力する一方、ＱＰＳＫの選択を表す選択信号に応答して、入力されるディジタルデータ信号に基づいて、複数値のＩ軸信号と、複数値のＱ軸信号を発生してＱＰＳＫ変調器に入力することにより、搬送波をＱＰＳＫ又はＡＳＫで変調する。【選択図】　図１
2004147052.tif 000002
【特許請求の範囲】
【請求項１】
互いに実質的に直交するＩ軸とＱ軸における複数値のＩ軸信号と複数値のＱ軸信号とに基づいて、搬送波をＱＰＳＫで変調してＱＰＳＫ信号を出力するＱＰＳＫ変調器を備えたディジタル変調装置において、
ＡＳＫの選択を表す選択信号に応答して、入力されるディジタルデータ信号に基づいて、Ｉ軸とＱ軸の交点とＩ軸上の信号点との間で変化する２値のＩ軸信号と、ゼロ値のＱ軸信号を発生して上記ＱＰＳＫ変調器に入力する一方、ＱＰＳＫの選択を表す選択信号に応答して、入力されるディジタルデータ信号に基づいて、複数値のＩ軸信号と、複数値のＱ軸信号を発生して上記ＱＰＳＫ変調器に入力する信号処理手段とを備え、
入力されるディジタルデータ信号に従って、上記選択信号に応答してＡＳＫとＱＰＳＫとのうちの１つに選択的に切り換えて搬送波を変調することを特徴とするディジタル変調装置。
【請求項２】
上記Ｉ軸信号と上記Ｑ軸信号にそれぞれ所定のオフセット電圧を印加するオフセット電圧源をさらに備え、上記ＱＰＳＫ信号の搬送波漏れ電力が実質的に最小となるように、上記オフセット電圧を変化して設定したことを特徴とする請求項１記載のディジタル変調装置。
【請求項３】
上記Ｉ軸信号と上記Ｑ軸信号にそれぞれ所定のオフセット電圧を印加するオフセット電圧源をさらに備え、上記ＱＰＳＫ信号の搬送波漏れ電力が所定のレベル以下となるように、上記オフセット電圧を変化して設定したことを特徴とする請求項１記載のディジタル変調装置。
【請求項４】
上記ＱＰＳＫ変調器は、
上記ＱＰＳＫ変調器の入力段に設けられ、入力されるディジタルデータ信号に基づいて発生されたＩ軸の非反転信号と反転信号とを差動増幅して複数値のＩ軸信号を出力する第１の差動増幅器と、
上記ＱＰＳＫ変調器の入力段に設けられ、入力されるディジタルデータ信号に基づいて発生されたＱ軸の非反転信号と反転信号とを差動増幅して複数値のＱ軸信号を出力する第２の差動増幅器とをさらに備えたことを特徴とする請求項１記載のディジタル変調装置。
【請求項５】
上記Ｉ軸の非反転信号及び反転信号と、上記Ｑ軸の非反転信号及び反転信号にそれぞれ所定のオフセット電圧を印加するオフセット電圧源をさらに備え、上記ＱＰＳＫ信号の搬送波漏れ電力が実質的に最小となるように、上記オフセット電圧を変化して設定したことを特徴とする請求項４記載のディジタル変調装置。
【請求項６】
上記Ｉ軸の非反転信号及び反転信号と、上記Ｑ軸の非反転信号及び反転信号にそれぞれ所定のオフセット電圧を印加するオフセット電圧源をさらに備え、上記ＱＰＳＫ信号の搬送波漏れ電力が所定のレベル以下となるように、上記オフセット電圧を変化して設定したことを特徴とする請求項４記載のディジタル変調装置。
【請求項７】
上記信号処理手段は、入力されるディジタルデータ信号を、所定のサンプリング周波数でサンプリングすることによりＤ／Ａ変換して複数値のＩ軸信号と複数値のＱ軸信号を出力するＤ／Ａ変換器を備え、
上記サンプリング周波数は、上記入力されるディジタルデータ信号に含まれるベースバンド信号の最高周波数の４倍乃至８倍に設定されたことを特徴とする請求項１乃至６のうちのいずれか１つに記載のディジタル変調装置。
【請求項８】
互いに実質的に直交するＩ軸とＱ軸における、４値以上の複数値のＩ軸信号と、４値以上の複数値のＱ軸信号とに基づいて、搬送波をＱＡＭで変調してＱＡＭ信号を出力するＱＡＭ変調器を備えたディジタル変調装置において、
ＡＳＫの選択を表す選択信号に応答して、入力されるディジタルデータ信号に基づいて、Ｉ軸とＱ軸の交点とＩ軸上の信号点との間で変化する２値のＩ軸信号と、ゼロ値のＱ軸信号を発生して上記ＱＡＭ変調器に入力する一方、ＱＡＭの選択を表す選択信号に応答して、入力されるディジタルデータ信号に基づいて、４値以上の複数値のＩ軸信号と、４値以上の複数値のＱ軸信号を発生して上記ＱＡＭ変調器に入力する信号処理手段とを備え、
入力されるディジタルデータ信号に従って、上記選択信号に応答してＡＳＫとＱＡＭとのうちの１つに選択的に切り換えて搬送波を変調することを特徴とするディジタル変調装置。
【請求項９】
上記Ｉ軸信号と上記Ｑ軸信号にそれぞれ所定のオフセット電圧を印加するオフセット電圧源をさらに備え、上記ＱＡＭ信号の搬送波漏れ電力が実質的に最小となるように、上記オフセット電圧を変化して設定したことを特徴とする請求項８記載のディジタル変調装置。
【請求項１０】
上記Ｉ軸信号と上記Ｑ軸信号にそれぞれ所定のオフセット電圧を印加するオフセット電圧源をさらに備え、上記ＱＡＭ信号の搬送波漏れ電力が所定のレベル以下となるように、上記オフセット電圧を変化して設定したことを特徴とする請求項８記載のディジタル変調装置。
【請求項１１】
上記ＱＡＭ変調器は、
上記ＱＡＭ変調器の入力段に設けられ、入力されるディジタルデータ信号に基づいて発生されたＩ軸の非反転信号と反転信号とを差動増幅して複数値のＩ軸信号を出力する第１の差動増幅器と、
上記ＱＡＭ変調器の入力段に設けられ、入力されるディジタルデータ信号に基づいて発生されたＱ軸の非反転信号と反転信号とを差動増幅して複数値のＱ軸信号を出力する第２の差動増幅器とをさらに備えたことを特徴とする請求項８記載のディジタル変調装置。
【請求項１２】
上記Ｉ軸の非反転信号及び反転信号と、上記Ｑ軸の非反転信号及び反転信号にそれぞれ所定のオフセット電圧を印加するオフセット電圧源をさらに備え、上記ＱＡＭ信号の搬送波漏れ電力が実質的に最小となるように、上記オフセット電圧を変化して設定したことを特徴とする請求項１１記載のディジタル変調装置。
【請求項１３】
上記Ｉ軸の非反転信号及び反転信号と、上記Ｑ軸の非反転信号及び反転信号にそれぞれ所定のオフセット電圧を印加するオフセット電圧源をさらに備え、上記ＱＡＭ信号の搬送波漏れ電力が所定のレベル以下となるように、上記オフセット電圧を変化して設定したことを特徴とする請求項１１記載のディジタル変調装置。
【請求項１４】
上記信号処理手段は、入力されるディジタルデータ信号を、所定のサンプリング周波数でサンプリングすることによりＤ／Ａ変換して複数値のＩ軸信号と複数値のＱ軸信号を出力するＤ／Ａ変換器を備え、
上記サンプリング周波数は、上記入力されるディジタルデータ信号に含まれるベースバンド信号の最高周波数の４倍乃至８倍に設定されたことを特徴とする請求項８乃至１３のうちのいずれか１つに記載のディジタル変調装置。
【請求項１５】
互いに実質的に直交するＩ軸とＱ軸における、４値以上の複数値のＩ軸信号と、４値以上の複数値のＱ軸信号とに基づいて、搬送波をＱＡＭで変調してＱＡＭ信号を出力するＱＡＭ変調器を備えたディジタル変調装置において、
ＡＳＫの選択を表す選択信号に応答して、入力されるディジタルデータ信号に基づいて、Ｉ軸とＱ軸の交点とＩ軸上の信号点との間で変化する２値のＩ軸信号と、ゼロ値のＱ軸信号を発生して上記ＱＡＭ変調器に入力し、ＱＰＳＫの選択を表す選択信号に応答して、入力されるディジタルデータ信号に基づいて、複数値のＩ軸信号と、複数値のＱ軸信号を発生して上記ＱＡＭ変調器に入力し、ＱＡＭの選択を表す選択信号に応答して、入力されるディジタルデータ信号に基づいて、４値以上の複数値のＩ軸信号と、４値以上の複数値のＱ軸信号を発生して上記ＱＡＭ変調器に入力する信号処理手段とを備え、
入力されるディジタルデータ信号に従って、上記選択信号に応答してＡＳＫとＱＰＳＫとＱＡＭとのうちの１つに選択的に切り換えて搬送波を変調することを特徴とするディジタル変調装置。
【請求項１６】
上記Ｉ軸信号と上記Ｑ軸信号にそれぞれ所定のオフセット電圧を印加するオフセット電圧源をさらに備え、上記ＱＰＳＫ信号と上記ＱＡＭ信号とのうちの少なくとも一方の搬送波漏れ電力が実質的に最小となるように、上記オフセット電圧を変化して設定したことを特徴とする請求項１５記載のディジタル変調装置。
【請求項１７】
上記Ｉ軸信号と上記Ｑ軸信号にそれぞれ所定のオフセット電圧を印加するオフセット電圧源をさらに備え、上記ＱＰＳＫ信号と上記ＱＡＭ信号とのうちの少なくとも一方の搬送波漏れ電力が所定のレベル以下となるように、上記オフセット電圧を変化して設定したことを特徴とする請求項１５記載のディジタル変調装置。
【請求項１８】
上記ＱＡＭ変調器は、
上記ＱＡＭ変調器の入力段に設けられ、入力されるディジタルデータ信号に基づいて発生されたＩ軸の非反転信号と反転信号とを差動増幅して複数値のＩ軸信号を出力する第１の差動増幅器と、
上記ＱＡＭ変調器の入力段に設けられ、入力されるディジタルデータ信号に基づいて発生されたＱ軸の非反転信号と反転信号とを差動増幅して複数値のＱ軸信号を出力する第２の差動増幅器とをさらに備えたことを特徴とする請求項１５記載のディジタル変調装置。
【請求項１９】
上記Ｉ軸の非反転信号及び反転信号と、上記Ｑ軸の非反転信号及び反転信号にそれぞれ所定のオフセット電圧を印加するオフセット電圧源をさらに備え、上記ＱＰＳＫ信号と上記ＱＡＭ信号とのうちの少なくとも一方の搬送波漏れ電力が実質的に最小となるように、上記オフセット電圧を変化して設定したことを特徴とする請求項１８記載のディジタル変調装置。
【請求項２０】
上記Ｉ軸の非反転信号及び反転信号と、上記Ｑ軸の非反転信号及び反転信号にそれぞれ所定のオフセット電圧を印加するオフセット電圧源をさらに備え、上記ＱＰＳＫとＱＡＭ信号とのうちの少なくとも一方の搬送波漏れ電力が所定のレベル以下となるように、上記オフセット電圧を変化して設定したことを特徴とする請求項１８記載のディジタル変調装置。
【請求項２１】
上記信号処理手段は、入力されるディジタルデータ信号を、所定のサンプリング周波数でサンプリングすることによりＤ／Ａ変換して複数値のＩ軸信号と複数値のＱ軸信号を出力するＤ／Ａ変換器を備え、
上記サンプリング周波数は、上記入力されるディジタルデータ信号に含まれるベースバンド信号の最高周波数の４倍乃至８倍に設定されたことを特徴とする請求項１５乃至２０のうちのいずれか１つに記載のディジタル変調装置。
【発明の詳細な説明】
【０００１】
【発明の属する技術分野】
本発明は、ディジタルデータ信号に従って搬送波を、直交振幅変調（Ｑｕａｄｒａｔｕｒｅ　Ａｍｐｌｉｔｕｄｅ　Ｍｏｄｕｌａｔｉｏｎ：以下、ＱＡＭという。）と、直交位相シフトキーイング（Ｑｕａｄｒａｔｕｒｅ　Ｐｈａｓｅ　Ｓｈｉｆｔ　Ｋｅｙｉｎｇ：以下、ＱＰＳＫという。）とのうちの少なくとも一方と、振幅シフトキーイング（Ａｍｐｌｉｔｕｄｅ　Ｓｈｉｆｔ　Ｋｅｙｉｎｇ：以下、ＡＳＫという。）とのうちの１つに選択的に切り換えて変調することができるディジタル変調装置に関する。
【０００２】
【従来の技術】
次世代高度交通道路システム（ＩＴＳ：Ｉｎｔｅｌｌｉｇｅｎｔ　Ｔｒａｎｓｐｏｒｔ　Ｓｙｓｔｅｍｓ）の推進のさきがけとして、ノンストップ自動料金収受（ＥＴＣ：Ｅｌｅｃｔｒｉｃ　Ｔｏｌｌ　Ｃｏｌｌｅｃｔｉｏｎ）システムが実用化されている。このＥＴＣシステムは有料道路の料金所において、車両が停止することなく車載器と道路側無線装置との間で無線通信を行って、通行料金を自動的に収受するシステムである。この通信方式として、狭域通信（ＤＳＲＣ：Ｄｅｄｉｃａｔｅｄ　Ｓｈｏｒｔ−ｒａｎｇｅ　Ｃｏｍｍｕｎｉｃａｔｉｏｎ）システムが、ＩＴＳシステムの標準的な無線通信方式として用いられている。
【０００３】
従来技術のＤＳＲＣシステム用通信装置は、単一の振幅変調（ＡＳＫ）のみに対応しており、同一機器内で複数の変調方式には対応していない。ＡＳＫに対応するため搬送波の送信段に増幅器又は変調器設置し、変調するように対応している。また、復調についても単一の振幅変調（ＡＳＫ）のみに対応している。このようなＤＳＲＣシステム用通信装置は、例えば、特許文献１及び２において開示されている。
【０００４】
【特許文献１】
特開平１１−１１０５９４公報（第２−６頁、図１、図３、図５、図７、図８）
【特許文献２】
特開２０００−３４１３４７号公報（第２−５頁、図１、図２、図４）
【０００５】
【発明が解決しようとする課題】
このようなＤＳＲＣシステム用通信装置にあっては、同一機器内で複数の変調方式に対応していないため、異なる変調方式の機器を増設する必要があり、この場合、複数の変調器の機器増設に伴い、機器が大型化し、高コストになるという課題があった。
【０００６】
本発明の目的は以上の問題点を解決し、従来技術に比較して構成がきわめて簡単であって低コストであり、ディジタルデータ信号に従って搬送波を、ＱＡＭとＱＰＳＫとのうちの少なくとも一方と、ＡＳＫとのうちの１つに選択的に切り換えて変調することができるディジタル変調装置を提供することにある。
【０００７】
【課題を解決するための手段】
第１の発明に係るディジタル変調装置は、互いに実質的に直交するＩ軸とＱ軸における複数値のＩ軸信号と複数値のＱ軸信号とに基づいて、搬送波をＱＰＳＫで変調してＱＰＳＫ信号を出力するＱＰＳＫ変調器を備えたディジタル変調装置において、
ＡＳＫの選択を表す選択信号に応答して、入力されるディジタルデータ信号に基づいて、Ｉ軸とＱ軸の交点とＩ軸上の信号点との間で変化する２値のＩ軸信号と、ゼロ値のＱ軸信号を発生して上記ＱＰＳＫ変調器に入力する一方、ＱＰＳＫの選択を表す選択信号に応答して、入力されるディジタルデータ信号に基づいて、複数値のＩ軸信号と、複数値のＱ軸信号を発生して上記ＱＰＳＫ変調器に入力する信号処理手段とを備え、
入力されるディジタルデータ信号に従って、上記選択信号に応答してＡＳＫとＱＰＳＫとのうちの１つに選択的に切り換えて搬送波を変調することを特徴とする。
【０００８】
また、第２の発明に係るディジタル変調装置は、互いに実質的に直交するＩ軸とＱ軸における、４値以上の複数値のＩ軸信号と、４値以上の複数値のＱ軸信号とに基づいて、搬送波をＱＡＭで変調してＱＡＭ信号を出力するＱＡＭ変調器を備えたディジタル変調装置において、
ＡＳＫの選択を表す選択信号に応答して、入力されるディジタルデータ信号に基づいて、Ｉ軸とＱ軸の交点とＩ軸上の信号点との間で変化する２値のＩ軸信号と、ゼロ値のＱ軸信号を発生して上記ＱＡＭ変調器に入力する一方、ＱＡＭの選択を表す選択信号に応答して、入力されるディジタルデータ信号に基づいて、４値以上の複数値のＩ軸信号と、４値以上の複数値のＱ軸信号を発生して上記ＱＡＭ変調器に入力する信号処理手段とを備え、
入力されるディジタルデータ信号に従って、上記選択信号に応答してＡＳＫとＱＡＭとのうちの１つに選択的に切り換えて搬送波を変調することを特徴とする。
【０００９】
さらに、第３の発明に係るディジタル変調装置は、互いに実質的に直交するＩ軸とＱ軸における、４値以上の複数値のＩ軸信号と、４値以上の複数値のＱ軸信号とに基づいて、搬送波をＱＡＭで変調してＱＡＭ信号を出力するＱＡＭ変調器を備えたディジタル変調装置において、
ＡＳＫの選択を表す選択信号に応答して、入力されるディジタルデータ信号に基づいて、Ｉ軸とＱ軸の交点とＩ軸上の信号点との間で変化する２値のＩ軸信号と、ゼロ値のＱ軸信号を発生して上記ＱＡＭ変調器に入力し、ＱＰＳＫの選択を表す選択信号に応答して、入力されるディジタルデータ信号に基づいて、複数値のＩ軸信号と、複数値のＱ軸信号を発生して上記ＱＡＭ変調器に入力し、ＱＡＭの選択を表す選択信号に応答して、入力されるディジタルデータ信号に基づいて、４値以上の複数値のＩ軸信号と、４値以上の複数値のＱ軸信号を発生して上記ＱＡＭ変調器に入力する信号処理手段とを備え、
入力されるディジタルデータ信号に従って、上記選択信号に応答してＡＳＫとＱＰＳＫとＱＡＭとのうちの１つに選択的に切り換えて搬送波を変調することを特徴とする。
【００１０】
【発明の実施の形態】
以下、図面を参照して本発明に係る実施の形態について説明する。
【００１１】
実施の形態１．
図１は本発明に係る実施の形態１であるディジタル無線通信装置の構成を示すブロック図であり、図２は図１のディジタル無線通信装置の無線受信部２００の構成を示すブロック図である。この実施の形態に係るディジタル無線通信装置は、無線送信部１００と、無線受信部２００と、送受信アンテナ３００と、送受信切り換えスイッチＳＷとを備えて構成され、特に、無線送信部１００は、ＱＰＳＫ変調器６０及びコントローラ２０を備え、入力されるディジタルデータ信号に従って搬送波を、ＱＰＳＫとＡＳＫとのうちの１つに選択的に切り換えて変調することを特徴としている。
【００１２】
図１において、コントローラ２０は、当該ディジタル無線通信装置の各回路を制御する制御部であり、特に、ＱＰＳＫ又はＡＳＫの選択を指示する選択信号を出力し、ここで、ＱＰＳＫを選択する選択信号としてＬレベルの選択信号を用いる一方、ＡＳＫを選択する選択信号としてＨレベルの選択信号を用いる。外部装置からのディジタルデータ信号は２分配されてＱＰＳＫ用ベースバンド処理部１及びＡＳＫ用ベースバンド処理部２に入力される。ＱＰＳＫ用ベースバンド処理部１は、入力されたディジタルデータ信号をシリアル／パラレル変換した後、π／４シフトＱＰＳＫ信号の極座標に変換するようにマッピングし、送信共通信号処理部１１内の送信フィルタとして動作するＲＯＭに対する、Ｉ軸のアドレスを表すＡＤＲＳＩ信号と、Ｑ軸のアドレスを表すＡＤＲＳＱ信号とを発生して送信共通信号処理部１１に出力する。一方、ＡＳＫ用ベースバンド処理部２は、入力されたディジタルデータ信号をマンチェスタ符号化することにより、ＡＳＫ信号に変換するようにマッピングし、送信共通信号処理部１１内の送信フィルタとして動作するＲＯＭに対する、Ｉ軸のアドレスを表すＡＤＲＳＩ信号と、Ｑ軸のアドレスを表すＡＤＲＳＱ信号とを発生して送信共通信号処理部１１に出力する。
次いで、送信共通信号処理部１１は、入力されるＱＰＳＫ信号のためのＡＤＲＳＩ信号及びＡＤＲＳＱ信号と、入力されるＡＳＫ信号のためのＡＤＲＳＩ信号及びＡＤＲＳＱ信号とのうちの１組を選択し、当該アドレスを示す当該信号によりアドレス指定することにより波形整形用ＲＯＭから送信フィルタによりろ波されたＩ軸のＤＡＴＡＩ信号とＱ軸のＤＡＴＡＱ信号とを得て、これらの信号を互いに同期化してリタイミングした後、Ｉ軸のＴＸＩ信号及びＱ軸のＴＸＱ信号を発生してそれぞれＤ／Ａ変換器１２，２２に出力する。
【００１３】
ここで、図１のＱＳＰＫ用ベースバンド処理部１及びＡＳＫ用ベースバンド処理部２、並びに、図１の送信共通信号処理部１１の構成及び動作の詳細について、図３乃至図１０を参照して以下に説明する。
【００１４】
図３は図１のＱＳＰＫ用ベースバンド処理部１の詳細構成を示すブロック図である。図３において、外部装置から入力されるディジタルデータ信号はＳ／Ｐ変換部７３によりシリアル／パラレル変換されて２系列のディジタルデータ信号に変換された後、位相情報生成部７４は入力された２系列のディジタルデータ信号を、図４の位相情報処理のテーブルを用いて、１ビットを加えた３ビットの位相情報データに変換する。ここで、図４においてディジタルデータ信号［１．．０］は１ビット目から０ビット目までの２ビットのデータを表し、位相情報データ［２．．０］は２ビット目から０ビット目までの３ビットのデータを表し、以下同様に表す。
【００１５】
次いで、位相情報積分部７５は入力される位相情報データを所定の期間時間積分した後、極座標変換部７６に出力する。極座標変換部７６は入力される時間積分後の位相情報データを、図５の極座標変換処理のテーブルを用いて、２ビットのＩ軸のＩＤＡＴＡ信号と、２ビットのＱ軸のＱＤＡＴＡ信号とに変換することにより、図６に示すπ／４シフトＱＰＳＫ信号を生成するためのマッピングを行い、これらの信号をアドレス生成部７２に出力する。図６のπ／４シフトＱＰＳＫ信号の信号配置図では、それぞれ３ビットの（０００）から（１１１）までの８個のデータ系列が同一の円上でπ／４ずつ位相シフトされて配置されている。
さらに、アドレス生成部７２では、マッピングされたＩＤＡＴＡ信号とＱＤＡＴＡ信号から、図７の送信フィルタである波形整形用ＲＯＭ８２，８３のためのアドレスを発生して出力する。Ｉチャンネル波形整形用ＲＯＭ８２とＱチャンネル用波形整形用ＲＯＭ８３にはそれぞれ、５シンボルの畳込みデータが予め格納されており、アドレス生成部７２では、連続する５シンボルのＩＤＡＴＡ信号及びＱＤＡＴＡ信号を用いて、公知のオーバーサンプル８形式の送信波形を得るようなＲＯＭアドレスである、１５ビットのＩ軸のＡＤＲＳＩ信号と、１５ビットのＱ軸のＡＤＲＳＱ信号とを発生して送信共通信号処理部１１の信号セレクタ８１に出力する。
【００１６】
図７は図３のＱＰＳＫ信号用ベースバンド処理部１のアドレス生成部７２により生成されたＡＤＲＳＩ信号及びＡＤＲＳＱ信号のビット割り当てを示す信号フォーマットを示す図である。図７に示すように、ＡＤＲＳＩ信号及びＡＤＲＳＱ信号はそれぞれ以下の１５ビットのデータを含む。
（ａ）Ａ１４：コントローラ２０から出力される選択信号であり、ＡＳＫのときはＨレベルとなり、ＱＰＳＫのときはＬレベルとなる。
（ｂ）Ａ１３：コントローラ２０から出力される信号詳細選択信号であるＰＩ４ＯＦＦＬ信号であり、π／４シフトＱＰＳＫのときはＨレベルとなり、ＱＰＳＫのときはＬレベルとなる。
（ｃ）Ａ１２乃至Ａ３：５シンボル分の送信データ
（ｄ）Ａ２乃至Ａ０：オーバーサンプル８形式の送信波形を指定するための３ビットのＡＤＲＣ信号である。
【００１７】
図８は図１の送信共通信号処理部１１の詳細構成を示すブロック図である。図８において、送信共通信号処理部１１は、信号セレクタ８１と、Ｉチャンネル波形整形用ＲＯＭ８２と、Ｑチャンネル波形整形用ＲＯＭ８３と、リタイミング回路８４とを備えて構成される。まず、ＱＰＳＫ用ベースバンド処理部１からの、ぞれぞれ１５ビットのＡＤＲＳＩ信号及びＡＤＲＳＱ信号が信号セレクタ８１に入力されるとともに、ＡＳＫ用ベースバンド処理部２からの、ぞれぞれ１５ビットのＡＤＲＳＩ信号及びＡＤＲＳＱ信号が信号セレクタ８１に入力される。信号セレクタ８１は、コントローラ２０からＱＰＳＫの選択を示すＬレベルの選択信号が入力されているとき、ＱＰＳＫ用ベースバンド処理部１からの、ぞれぞれ１５ビットのＡＤＲＳＩ信号及びＡＤＲＳＱ信号を選択し、かつそれぞれの信号の上位に３ビットの“０”を追加し、１８ビットのＲＯＭアドレスであるＡＤＲＡ信号と、１８ビットのＲＯＭアドレスであるＡＤＲＢ信号とを発生してそれぞれ、対応するＩチャンネル波形整形用ＲＯＭ８２及びＱチャンネル波形整形用ＲＯＭ８３に出力する。
【００１８】
上述のように、Ｉチャンネル波形整形用ＲＯＭ８２とＱチャンネル用波形整形用ＲＯＭ８３にはそれぞれ、５シンボルの同一の畳込みデータが予め格納されており、入力されるＲＯＭアドレスに基づいて公知のオーバーサンプル８形式の送信波形が出力される。なお、波形整形用ＲＯＭ８２，８３において、ＡＳＫ／ＱＰＳＫの選択は、図７及び図１０に示すように１５ビット目のアドレスで識別している。Ｉチャンネル波形整形用ＲＯＭ８２からの送信波形データである１０ビットのＤＡＴＡＡ信号と、Ｑチャンネル波形整形用ＲＯＭ８３からの送信波形データである１０ビットのＤＡＴＡＢ信号とは、リタイミング回路８４により互いの信号が同期化された後、１０ビットのＴＸＩ信号と、１０ビットのＴＸＱ信号とがそれぞれ、対応するＤ／Ａ変換器１２，２２に出力される。なお、本実施の形態では、ＲＯＭ８２，８３から出力された波形データをそれぞれＤ／Ａ変換器１２，２２によりＤ／Ａ変換することで、送信信号が出力される。ＡＳＫとＱＰＳＫでは送信すべき波形が異なるため、図８の信号セレクタ８１において、変調方式を選択している。
【００１９】
図９は図１のＡＳＫ用ベースバンド処理部２の詳細構成を示すブロック図である。図９において、外部装置から入力されるディジタルデータ信号は、マッピング部９１によりマンチェスタ符号化された後、ＴＸＤＡＴＡ信号としてアドレス生成部９２に出力される。次いで、アドレス生成部９２では、マッピングされたＩＱデータであるＴＸＤＡＴＡ信号からＲＯＭアドレスであるＡＤＲＳＩ信号及びＡＤＲＳＱ信号を生成して出力する。図８の波形整形用ＲＯＭ８２，８３には５シンボルの畳込み送信データが予め格納されている。アドレス生成部９２では、連続する５シンボルのＩＱデータであるＴＸＤＡＴＡ信号を用いて、公知のオーバーサンプル８の送信波形データを得るように、ＲＯＭアドレスであるＡＤＲＳＩ信号及びＡＤＲＳＱ信号を発生して信号セレクタ８１に出力する。
【００２０】
図１０は図９のＡＳＫ用ベースバンド処理部２から出力されるＡＤＲＳＩ信号及びＡＤＲＳＱ信号のビット割り当てを示す信号フォーマットを示す図である。
図１０に示すように、ＡＤＲＳＩ信号及びＡＤＲＳＱ信号はそれぞれ以下の１５ビットのデータを含む。
（ａ）Ａ１４：コントローラ２０から出力される選択信号であり、ＡＳＫのときはＨレベルとなり、ＱＰＳＫのときはＬレベルとなる。
（ｂ）Ａ１３乃至Ａ８：すべて“０”のデータ。
（ｃ）Ａ７乃至Ａ３：５チップ分の送信データ
（ｄ）Ａ２乃至Ａ０：オーバーサンプル８形式の送信波形を指定するための３ビットのＴＸ＿ＣＮＴ信号である。
【００２１】
なお、ＡＳＫの場合には、詳細後述するように、Ｑチャンネルの送信波形データを出力する必要がない。従って、ＱチャンネルのＡＤＲＳＱ信号は以下の１５ビットのデータを含む。
（ａ）Ａ１４：コントローラ２０から出力される選択信号であり、ＡＳＫのときはＨレベルとなり、ＱＰＳＫのときはＬレベルとなる。
（ｂ）Ａ１３乃至Ａ０：すべて“０”のデータ。
【００２２】
以上のように構成されたＡＳＫ用ベースバンド処理部２においては、ＡＳＫの選択を表す選択信号に応答して、入力されるディジタルデータ信号に基づいて、Ｉ軸とＱ軸の交点とＩ軸上の信号点との間で変化する２値のＩ軸信号と、ゼロ値のＱ軸信号を発生する。
【００２３】
次いで、図１を参照して、Ｄ／Ａ変換器１２，２２以降の構成及び動作について以下に説明する。
【００２４】
Ｄ／Ａ変換器１２は、入力されるＩチャンネルの送信データであるＴＸＩ信号を所定のサンプリング周波数でサンプリングして、所定のＤ／Ａ変換テーブルを参照して、所定の正の電圧又は０Ｖを有する非反転アナログ信号と、そのアナログ信号を反転した所定の負の電圧または０Ｖを有する反転アナログ信号とを発生し、前者の非反転アナログ信号をＩ軸非反転信号ＳＩとして緩衝増幅器１３ａ及び狭域通信用低域通過フィルタ１５ａを介して差動増幅器１６の非反転入力端子に出力する一方、後者の反転アナログ信号をＩ軸反転信号Ｓ／Ｉとして緩衝増幅器１３ｂ及び狭域通信用低域通過フィルタ１５ｂを介して差動増幅器１６の反転入力端子に出力する。
【００２５】
なお、π／４シフトＱＰＳＫのときは、Ｄ／Ａ変換器１２，２２にそれぞれ入力されるＴＸＩ信号及びＴＸＱ信号は、４値に対応した送信波形信号である一方、ＡＳＫのときは、Ｄ／Ａ変換器１２に入力されるＴＸＩ信号は、２値に対応した送信波形信号でありかつＤ／Ａ変換器２２に入力されるＴＸＱ信号は“０”である１値に対応した送信波形信号である。
【００２６】
ここで、緩衝増幅器１３ａ，１３ｂにはそれぞれ、オフセット電圧源１４ａ，１４ｂからコントローラ２０により制御される所定の直流オフセット電圧が印加され、各緩衝増幅器１３ａ，１３ｂは入力されるアナログ信号を所定の増幅度を増幅するとともに、入力される直流オフセット電圧だけオフセット（加算）して出力する。また、各狭域通信用低域通過フィルタ１５ａ，１５ｂは、入力されるアナログ信号のスペクトルのうち、狭域通信で用いる搬送波及び第１側波帯の成分のみを通過させる狭帯域のベッセルフィルタ特性を有する。
【００２７】
また、Ｄ／Ａ変換器２２は、入力されるディジタルデータ信号を所定のサンプリング周波数でサンプリングして、所定のＤ／Ａ変換テーブルを参照して、所定の正の電圧又は０Ｖを有する非反転アナログ信号と、そのアナログ信号を反転した所定の負の電圧または０Ｖを有する反転アナログ信号とを発生し、前者の非反転アナログ信号をＱ軸非反転信号ＳＱとして緩衝増幅器２３ａ及び狭域通信用低域通過フィルタ２５ａを介して差動増幅器２６の非反転入力端子に出力する一方、後者の反転アナログ信号をＱ軸反転信号Ｓ／Ｑとして緩衝増幅器２３ｂ及び狭域通信用低域通過フィルタ２５ｂを介して差動増幅器２６の反転入力端子に出力する。ここで、緩衝増幅器２３ａ，２３ｂにはそれぞれ、オフセット電圧源２４ａ，２４ｂからコントローラ２０により制御される所定の直流オフセット電圧が印加され、各緩衝増幅器２３ａ，２３ｂは入力されるアナログ信号を所定の増幅度を増幅するとともに、入力される直流オフセット電圧だけオフセット（加算）して出力する。また、各狭域通信用低域通過フィルタ２５ａ，２５ｂは、狭域通信用低域通過フィルタ１５ａ，１５ｂと同様に、入力されるアナログ信号のスペクトルのうち、狭域通信で用いる搬送波及び第１側波帯の成分のみを通過させる狭帯域のベッセルフィルタ特性を有する。
【００２８】
なお、各オフセット電圧源１４ａ，１４ｂ，２４ａ，２４ｂはそれぞれ、コントローラ２０によりその出力直流電圧を変化可能な可変直流電圧源である。ここで、各オフセット電圧源１４ａ，１４ｂ，２４ａ，２４ｂはこれに限らず、コントローラ２０からのディジタル電圧をＡ／Ｄ変換するＡ／Ｄ変換器で構成してもよい。
【００２９】
本実施の形態においては、Ｄ／Ａ変換器１２，２２のサンプリング周波数を、好ましくは、ベースバンド信号の最高周波数の２倍に設定している。ところがチャネル間隔を狭く取りたい場合、その狭帯域信号周波数特性は、Ｄ／Ａ変換後のアナログの低域通過フィルタ１５ａ，１５ｂ，２５ａ，２５ｂの通過周波数特性で決定される。この場合、低域通過フィルタ１５ａ，１５ｂ，２５ａ，２５ｂの減衰特性が急峻になるため、その回路が複雑になり、コストメリット及びスケールメリットが出なくなる。そこで、サンプリング周波数を、ベースバンド信号の最高周波数の２倍を超えた整数倍であって、より好ましくは、４倍以上８倍以下で、例えば、４倍、６倍、又は８倍に設定することが好ましい。最も好ましい実施の形態では、Ｄ／Ａ変換器１２，２２のサンプリング周波数を、ベースバンド信号の最高周波数の８倍に設定することで、低域通過フィルタ１５ａ，１５ｂ，２５ａ，２５ｂの減衰特性を緩和し、回路が簡単な低域通過フィルタで構成することができる。ここで、平坦な群遅延特性を得るために、低域通過フィルタ１５ａ，１５ｂ，２５ａ，２５ｂはベッセルフィルタとする。本発明者らが製造した試作例では、チャネル間隔は５ＭＨｚであり、ベースバンド信号の最高周波数が２ＭＨｚであり、サンプリング周波数はその８倍に設定し、すなわち１６ＭＨｚに設定している。ここで、５次ベッセルフィルタである低域通過フィルタのカットオフ周波数は３ＭＨｚであり、減衰量は１６ＭＨｚで−５０ｄＢである。しかしながら、同様の低域通過フィルタでは、ベースバンド信号の最高周波数が２ＭＨｚであり、サンプリング周波数はその２倍として、４ＭＨｚに設定し、このとき、低域通過フィルタのカットオフ周波数は３ＭＨｚで、減衰量は４ＭＨｚで−５ｄＢとなる。以上説明したように、Ｄ／Ａ変換器１２，２２のサンプリング周波数を、ベースバンド信号の最高周波数の８倍に設定することで、低域通過フィルタ１５ａ，１５ｂ，２５ａ，２５ｂの減衰特性を緩和し、回路が簡単な低域通過フィルタで構成することができる。
【００３０】
さらに、ＱＰＳＫ変調器６０では、４つの低域通過フィルタ１５ａ，１５ｂ，２５ａ，２５ｂから出力されるアナログ信号に従って、ＰＬＬ局部発振器８により発生される中間周波の搬送波に対してＱＰＳＫ又はＡＳＫの変調を行い、変調後の中間周波信号を混合器５に出力する。具体的には以下の通り回路処理が実行される。
【００３１】
ＱＰＳＫ変調器６０において、ＰＬＬ局部発振器８は、基準発振器１０により発生される基準信号に同期して所定の分周比で分周して、第１中間周波のための第１局部発振信号（例えば、４００ＭＨｚ帯）を発生して混合器１７に出力するとともに、上記第１局部発振信号を９０度移相器１８を介して混合器２７に出力する。差動増幅器１６は低域通過フィルタ１５ａ，１５ｂからの２つのアナログ信号の差分出力信号ＳｄＩを増幅して混合器１７に出力する。次いで、混合器１７は、入力される差動出力信号ＳｄＩと、第１局部発振信号とを混合し、混合後の信号を合成器３に出力する。一方、差動増幅器２６は低域通過フィルタ２５ａ，２５ｂからの２つのアナログ信号の差分出力信号ＳｄＱを増幅して混合器２７に出力する。次いで、混合器２７は、入力される差動出力信号ＳｄＱと、９０度だけ移相された第１局部発振信号とを混合し、混合後の信号を合成器３に出力する。さらに、合成器３は入力される２つの信号を合成して、中間周波増幅器４を介して送信用中間周波信号として混合器５に出力する。
【００３２】
ＰＬＬ局部発振器９は、基準発振器１０により発生される基準信号に同期して所定の分周比で分周して、第２局部発振信号（例えば、５．４ＧＨｚ帯）を発生して、送受信切り換えスイッチＳＷａの共通入力端子及び接点ａ側を介して混合器５に出力する。なお、送受信切り換えスイッチＳＷａの接点ｂ側は、図２の無線受信部２００の混合器３２に接続され、受信時において、当該第２局部発振信号がＰＬＬ局部発振器９から混合器３２に供給される。混合器５は中間周波増幅器４から入力される送信用中間周波信号と、ＰＬＬ局部発振器９からの第２局部発振信号とを混合し、混合後の信号を所定の送信通過帯域を有する帯域通過フィルタ６を介してろ波することにより、例えば５．８ＧＨｚ帯の送信周波数の送信無線信号を発生する。この送信無線信号は、電力増幅器７により電力増幅された後、コントローラ２０により制御される送受信切り換えスイッチＳＷの接点ａ側を介して送受信アンテナ３００から放射される。
【００３３】
なお、無線送信部１００内のオフセット電圧源１４ａ，１４ｂ，２４ａ，２４ｂにおける直流オフセット電圧の設定値については詳細後述する。また、送受信切り換えスイッチＳＷ及び後述する送受信切り換えスイッチＳＷａ，ＳＷｂは、コントローラ２０により送信時に接点ａ側に切り換えられる一方、受信時に接点ｂ側に切り換えられる。
【００３４】
次いで、Ｄ／Ａ変換器１２，２２におけるサンプリング周波数について以下に説明する。通常のサンプリング定理に従えば、当該サンプリング周波数は、送信するベースバンド信号の最大周波数の２倍に設定される。ところが、チャネル間隔を狭く取りたい場合、無線通信の送信伝送路の伝送特性は、Ｄ／Ａ変換器１２，２２から出力側のアナログ低域通過フィルタ１５ａ，１５ｂ，２５ａ，２５ｂのフィルタ特性で決定される。この低域通過フィルタ１５ａ，１５ｂ，２５ａ，２５ｂの減衰特性が一般に急峻になるため、回路が複雑になり、コストメリットやスケールメリットが出ないので、サンプリング周波数を、送信するベースバンド信号の最大周波数の、例えば４倍乃至８倍（好ましくは、４倍、６倍又は８倍）に設定することにより、低域通過フィルタ１５ａ，１５ｂ，２５ａ，２５ｂの減衰特性を緩和し、簡単な低域通過フィルタにより構成することができる。これにより、低域通過フィルタを小型であってその回路構成を簡単にでき、コストも大幅に軽減できる。ここで、平坦な群遅延特性を得るために、低域通過フィルタ１５ａ，１５ｂ，２５ａ，２５ｂは、好ましくは、例えばベッセルフィルタで構成される。
【００３５】
発明者らの実施例においては、チャネル間隔は５ＭＨｚであり、ベースバンド信号の最大周波数が２ＭＨｚであり、サンプリング周波数はベースバンド信号の最大周波数の８倍として１６ＭＨｚに設定されている。また、低域通過フィルタ１５ａ，１５ｂ，２５ａ，２５ｂは、５次のベッセルフィルタで構成され、そのカットオフ周波数は３ＭＨｚで、減衰特性は１６ＭＨｚで−５０ｄＢの減衰量を有する。なお、同様の低域通過フィルタ（比較例）では、ベースバンド信号の最大周波数が２ＭＨｚであり、サンプリング周波数はその２倍として４ＭＨｚに設定されるとき、低域通過フィルタのカットオフ周波数は３ＭＨｚで、減衰特性は４ＭＨｚで−５ｄＢの減衰量となる。
【００３６】
次いで、無線受信部２００の構成及び動作について以下に説明する。
【００３７】
送受信アンテナ３００により受信された受信無線信号は、コントローラ２０により制御される送受信切り換えスイッチＳＷの接点ｂ側を介して図２の無線受信部２００に入力される。図２の無線受信部２００において、入力された受信無線信号は、低雑音増幅器３１を介して混合器３２に出力される。一方、混合器３２には、受信時において、局部発振信号（例えば、５．４ＧＨｚ帯）が図１のＰＬＬ局部発振器９から送受信切り換えスイッチＳＷａを介して入力される。このように構成するのは、当該装置が半二重通信であるためと、受信時のキャリアリークを抑制するためである。また、局部発振器３７は、例えば水晶発振器であって、第２局部発振信号（例えば、４００ＭＨｚ帯）を発生して混合器３６に出力する。次いで、混合器３２は入力される２つの信号を混合し、第１中間周波数帯域のみを帯域通過ろ波する帯域通過フィルタ３４及び第１中間周波増幅器３５を介して混合器３６に出力する。さらに、混合器３６は入力される２つの信号を混合し、第２中間周波数帯域のみを帯域通過ろ波する帯域通過フィルタ３８及び第２中間周波増幅器３９を介してＡＳＫ信号再生器４０及びＱＰＳＫ信号再生器５０に出力する。
【００３８】
ＡＳＫ信号再生器４０は、入力される信号に対して、例えば公知の包絡線検波方式を用いて復調することにより信号再生して、復調されたアナログ信号を取り出した後、緩衝増幅器４１を介してＡ／Ｄ変換器４３に出力する。ここで、緩衝増幅器４１には、オフセット電圧源４２からＡ／Ｄ変換器４３に適合するための直流オフセット電圧が印加され、緩衝増幅器４１は入力されるアナログ信号を増幅しかつ上記直流オフセット電圧だけオフセットして出力する。Ａ／Ｄ変換器４３は、入力されるアナログ信号を所定のサンプリング周波数でサンプリングすることにより２値のディジタルデータ信号にＡ／Ｄ変換した後、送信フィルタ１１，２１に対応するフィルタ特性を有する受信フィルタ４４を介してデータ再生器４６に出力する。データ再生器４６は入力される信号からディジタルデータ信号を再生してユニークワード検出器４７に出力する。ユニークワード検出器４７はコントローラ２０により制御され、入力されるディジタルデータ信号を信号セレクタ４５の接点ａ側に出力するとともに、ＡＳＫ信号に特有の所定のユニークワードを検出したとき、信号セレクタ４５に選択信号を出力して信号セレクタ４５を接点ａ側に切り換えるように制御する。すなわち、ＡＳＫ信号を受信したときは、信号セレクタ４５は接点ａ側に切り換えられて、ディジタルデータ信号が出力される。
【００３９】
また、ＱＰＳＫ信号再生器５０は、入力される信号に対して、例えば公知の遅延検波方式を用いて復調することにより信号再生して、復調されたアナログ信号を取り出した後、緩衝増幅器５１を介してＡ／Ｄ変換器５３に出力する。ここで、緩衝増幅器５１には、オフセット電圧源５２からＡ／Ｄ変換器５３に適合するための直流オフセット電圧が印加され、緩衝増幅器５１は入力されるアナログ信号を増幅しかつ上記直流オフセット電圧だけオフセットして出力する。Ａ／Ｄ変換器５３は、入力されるアナログ信号を所定のサンプリング周波数でサンプリングすることにより２値のディジタルデータ信号にＡ／Ｄ変換した後、送信フィルタ１１，２１に対応するフィルタ特性を有する受信フィルタ５４を介してデータ再生器５６に出力する。データ再生器５６は入力される信号からディジタルデータ信号を再生してユニークワード検出器５７に出力する。ユニークワード検出器５７はコントローラ２０により制御され、入力されるディジタルデータ信号を信号セレクタ４５の接点ｂ側に出力するとともに、ＱＰＳＫ信号に特有の所定のユニークワードを検出したとき、信号セレクタ４５に選択信号を出力して信号セレクタ４５を接点ｂ側に切り換えるように制御する。すなわち、ＱＰＳＫ信号を受信したときは、信号セレクタ４５は接点ｂ側に切り換えられて、ディジタルデータ信号が出力される。
【００４０】
信号セレクタ４５は、ＱＰＳＫの選択信号が入力されているとき、受信フィルタ５４から接点ｂ側に入力されたＱＰＳＫのディジタルデータ信号を出力する一方、ＡＳＫの選択信号が入力されているとき、受信フィルタ４４から接点ａ側に入力されたＡＳＫのディジタルデータ信号を出力する。すなわち、本実施の形態では、ＡＳＫ信号再生器４０と、ＱＰＳＫ信号再生器５０とにより同時に再生され、予め受信信号の変調方式が確定していなくともＡＳＫ及びＱＰＳＫの受信信号のいずれにも対応可能となる。ここで、受信信号を処理するＡ／Ｄ変換器４３，５３に適合するために、Ａ／Ｄ変換器４３，５３の前段に緩衝増幅器４１，５１及びオフセット電圧源４２，５２が設けられており、Ａ／Ｄ変換器４３，５３の入力電圧値に適合するように、緩衝増幅器４１，５１で受信信号の最大振幅を決定し、オフセット電圧源４２，５２からの直流オフセット電圧を設定することにより、受信信号の入力直流電圧（動作点）を設定する。これにより、Ａ／Ｄ変換器４３，５３に応じた受信信号のダイナミックレンジを確保することができる。なお、オフセット電圧源４２，５２に代えて、コントローラ２０からのディジタルデータをＤ／Ａ変換して直流オフセット電圧を発生するＤ／Ａ変換器を設けてもよい。
【００４１】
本実施の形態においては、ＱＰＳＫ変調器６０を用いてコントローラ２０からの選択信号を切り換えることにより、ＡＳＫの変調と、ＱＰＳＫの変調のうちの１つに選択的に設定し、Ｄ／Ａ変換器１２，２２からのベースバンド信号に従って搬送波を上記設定された変調方式で変調する。このときの差動増幅器１６，２６の直流バイアス動作点はそれぞれ、差動増幅器１６，２６の動作範囲内となるようにオフセット電圧源１４ａ，１４ｂ，２４ａ，２４ｂから出力される直流オフセット電圧を調整し、この直流オフセット電圧の絶対値は、好ましくは、例えば当該装置回路の電源電圧Ｖｃｃの１／２に設定され、オフセット電圧源１４ａ，２４ａの直流オフセット電圧はＶｃｃ／２である一方、オフセット電圧源１４ｂ，２４ｂの直流オフセット電圧は−Ｖｃｃ／２である。このとき、各差動増幅器１６，２６の直流バイアス動作点は、差動増幅器１６の非反転入力端子及び反転入力端子、並びに差動増幅器２６の非反転入力端子及び反転入力端子の４つの入力端子における直流バイアス動作点が互いに同一の電位となるように設定するが、本発明はこれに限らず、差動増幅器１６の２つの入力端子と、差動増幅器２６の２つの入力端子とで必ずしも同一の電位に設定しなくてもよい。
【００４２】
次いで、オフセット電圧源１４ａ，１４ｂ，２４ａ，２４ｂの直流オフセット電圧の調整について以下に説明する。
【００４３】
図１３は本実施の形態に係るディジタル無線通信装置における最適な直流オフセット電圧を決定するための方法を示すグラフであって、直流オフセット電圧に対するＱＰＳＫ信号の搬送波漏れ相対電力及びＡＳＫ信号の変調度を示すグラフである。図１３においては、オフセット電圧源１４ａからの直流オフセット電圧を１．５Ｖ付近に固定にして、オフセット電圧源１４ｂからの直流オフセット電圧を変化させたときの直流オフセット電圧値とＱＰＳＫ信号の搬送波漏れ相対電力（ここで、ディジタルデータがすべて“０”であるパターンを用いたときの変調信号出力のレベルを０ｄＢとしている。）及びＡＳＫ信号の変調度の関係の一例を示している。図１３から明らかなように、直流オフセット電圧に対してＱＰＳＫ信号の搬送波漏れ相対電力が最小となる点が存在し、また、直流オフセット電圧を上昇させるにつれて、ＡＳＫ信号の変調度が大きくなっていることがわかる。
【００４４】
なお、図１３の測定において、Ｑ軸のオフセット電圧源２３ａ，２３ｂからの直流オフセット電圧を固定にしているが、また、Ｉ軸のオフセット電圧源１３ａ，１３ｂからの直流オフセット電圧を固定にして、オフセット電圧源２４ａからの直流オフセット電圧を１．５Ｖ付近に固定にして、オフセット電圧源２４ｂからの直流オフセット電圧を変化させても同様の特性が得られる。
【００４５】
図１４は実施の形態に係るディジタル無線通信装置においてＱＰＳＫ信号の搬送波漏れ相対電力に対する受信ビット誤り率（ＢＥＲ）を示すグラフである。図１４から明らかなように、ＱＰＳＫ信号の搬送波漏れ相対電力を大きくなるにつれて、受信ビット誤り率（ＢＥＲ）が上昇していることがわかる。
【００４６】
従って、図１３及び図１４から明らかなように、最も好ましくは、ＱＰＳＫ信号の搬送波漏れ相対電力が実質的に最小となるように、直流オフセット電圧を変化して設定することにより、このとき、受信ビット誤り率（ＢＥＲ）は最小となる。これにより、最小の受信ビット誤り率（ＢＥＲ）で通信を行うことができる。また、より好ましくは、ＱＰＳＫ信号の搬送波漏れ相対電力が所定のレベル（例えば、−１５ｄＢ）以下となるように直流オフセット電圧を変化して設定する。このとき、図１３におけるＡＳＫ信号の変調度はより高いことが好ましい。これにより、より高い変調度でＡＳＫ信号を変調することができ、図１４から明らかなように、所定値以上の受信ビット誤り率（ＢＥＲ）で通信を行うことができる。
【００４７】
本実施の形態において、直流オフセット電圧を決定するプロセスとして、図１３に示すＱＰＳＫ信号の搬送波漏れ相対電力が最小になる点で得られる直流オフセット電圧を調整点として決定する。このとき、図１３ではＡＳＫ信号の変調度が約８０％となっている。図１４からＱＰＳＫ信号の搬送波漏れ相対電力は、例えばＢＥＲ≦１０−５とすると約−１５ｄＢまで許容できるため、ＡＳＫ信号の変調度を７０％から９０％まで調整することができ、そのときＱＰＳＫ信号の搬送波漏れ相対電力も同時に調整できる。従って、直流オフセット電圧としては、Ｉ軸のオフセット電圧源１３ａ，１３ｂからの直流オフセット電圧、もしくはＱ軸のオフセット電圧源２３ａ，２３ｂからの直流オフセット電圧に対して、その非反転側又は反転側の直流オフセット電圧を例えばＶｃｃ／２に固定し、この固定電圧から例えば±１０％だけの調整幅で調整することが好ましい。以上は実施例であって、これらの特性はＱＰＳＫ変調器６０の回路特性に依存する。
【００４８】
以上の実施の形態においては、オフセット電圧源１４ａ，１４ｂ，２４ａ，２４ｂからの４つの直流オフセット電圧を互いに同一の電位に設定しているが、オフセット電圧源１４ａ，２５ａからの２つの直流オフセット電圧を基準電圧Ｖｃｃ／２に設定し、オフセット電圧源１４ｂ，２５ｂからの２つの直流オフセット電圧をＶｃｃ／２±１０％以下で設定し、このような電位差をＱＰＳＫ変調器６０に印加することにより変調度を調整することが可能となる。
【００４９】
さらに、ＱＳＰＫ変調器６０を用いた、π／４シフトＱＰＳＫと、ＡＳＫとの兼用化方法について、ＱＰＳＫを基準にして以下に説明する。ここで、Ｉ軸の送信フィルタ１１及びＱ軸の送信フィルタ２２に印加されるデータは、「０」、「１」のいずれかでランダムに更新周期ｔ（＝０，１，２，…，ｎ）で切り換えられるものとする。ここで、Ｉ軸の送信フィルタ１１に印加されるデータａｉ（ａｉ＝０，１）に対して、Ｄ／Ａ変換器１２が次式のＩチャンネルの信号（Ｉ軸非反転信号）ＳＩを出力し、
【数１】
ＳＩ＝ｃｏｓ（２πｔ／４＋ａｉπ）
Ｑ軸の送信フィルタ２１に印加されるデータｂｉ（ｂｉ＝０，１）に対して、Ｄ／Ａ変換器２２が次式のＱチャンネルの信号（Ｑ軸非反転信号）ＳＱを出力するとき、
【数２】
ＳＱ＝−ｓｉｎ（２πｔ／４＋ｂｉπ）
ＱＰＳＫ信号が得られ、当該ＱＰＳＫ信号の信号点配置は、図１５となる。すなわち、図１及び図２に示す実施の形態においては、π／４シフトＱＰＳＫの場合について説明しているが、上記数１及び数２の式の設定を、図１のＱＰＳＫ用ベースバンド処理部１において行うことにより、ＱＰＳＫとＡＳＫで選択的に切り換え可能なディジタル変調装置を構成できる。
【００５０】
また、同様にして、Ｉ軸の送信フィルタ１１に印加されるデータａｉ（ａｉ＝０，１）に対して、Ｄ／Ａ変換器１２が次式のＩチャンネルの信号（Ｉ軸非反転信号）ＳＩを出力し、
【数３】
ＳＩ＝ｃｏｓ（２πｔ／８＋ａｉπ）
Ｑ軸の送信フィルタ２１に印加されるデータｂｉ（ｂｉ＝０，１）に対して、Ｄ／Ａ変換器２２が次式のＱチャンネルの信号（Ｑ軸非反転信号）ＳＱを出力するとき、
【数４】
ＳＱ＝−ｓｉｎ（２πｔ／８＋ｂｉπ）
π／４シフトＱＰＳＫ信号が得られ、当該π／４シフトＱＰＳＫ信号の信号点配置は、図１６となる。本実施の形態において、上記数３及び数４の式の設定は、上述のように、図１のＱＰＳＫ用ベースバンド処理部１において行われる。
【００５１】
さらに、Ｉ軸の送信フィルタ１１に印加されるデータａｉ（ａｉ＝０，１）に対して、Ｄ／Ａ変換器１２が次式のＩチャンネルの信号（Ｉ軸非反転信号）ＳＩを出力し、
【数５】
ＳＩ＝ｃｏｓ（２πｔ／４＋ａｉπ）
Ｑ軸の送信フィルタ２１に印加されるデータｂｉ（ｂｉ＝０，１）に対して、Ｄ／Ａ変換器２２が次式のＱチャンネルの信号（Ｑ軸非反転信号）ＳＱを出力するとき、
【数６】
ＳＱ＝−ｓｉｎ（２πｔ／４＋ｂｉπ）
このときに得られるＱＰＳＫ信号において、
【数７】
ＳＩ←（ＳＩ＋ＳＱ＋１）／２
【数８】
ＳＱ←０
とすると、ＡＳＫ信号が得られ、当該ＡＳＫ信号の信号点配置は、図１７となる。すなわち、Ｑチャンネルの信号を０とし、Ｉチャンネルの信号を上記数７の式に設定することにより、ＡＳＫ信号を得ることができる。本実施の形態において、上記数７及び数８の式の設定は、上述のように、図１のＡＳＫ用ベースバンド処理部２において行われる。
【００５２】
以上説明したように、ＡＳＫの選択を表す選択信号に応答して、入力されるディジタルデータ信号に基づいて、Ｉ軸とＱ軸の交点とＩ軸上の信号点との間で変化する２値のＩ軸信号と、ゼロ値のＱ軸信号を発生して上記ＱＰＳＫ変調器に入力する一方、ＱＰＳＫの選択を表す選択信号に応答して、入力されるディジタルデータ信号に基づいて、複数値のＩ軸信号と、複数値のＱ軸信号を発生して上記ＱＰＳＫ変調器に入力するように構成したので、１つのＱＰＳＫ変調器６０を用いて、ＡＳＫ信号及びπ／４シフトＱＰＳＫ信号又はＱＰＳＫ信号を発生させることができる。これにより、１つのＱＰＳＫ変調器６０を用いて複数の変調が可能となり、複数の変調器を用いる場合に比較して、大幅に小型・軽量化できるとともに、製造コストを大幅に軽減できる。
【００５３】
以上の実施の形態において、ＱＰＳＫ変調器６０では、Ｉ軸の入力信号及びＱ軸の入力信号は、各差動増幅器１６，２６への合計４つの入力信号である。４つの緩衝増幅器１３ａ，１３ｂ，２３ａ，２３ｂに印加される直流オフセット電圧及びπ／４シフトＱＰＳＫ信号及びＡＳＫ信号の信号配置点を考慮したベースバンドデータの時間波形について以下に示す。
【００５４】
図１８は実施の形態に係るディジタル無線通信装置においてπ／４シフトＱＰＳＫ信号を発生するときの、Ｄ／Ａ変換器１２からのＩ軸非反転信号ＳＩ及びＩ軸反転信号Ｓ／Ｉの時間波形図であり、図１９は実施の形態に係るディジタル無線通信装置においてπ／４シフトＱＰＳＫ信号を発生するときの、差動増幅器１６からのＩ軸差動出力信号ＳｄＩの時間波形図である。ここで、Ｄ／Ａ変換器１２からのＩ軸非反転信号ＳＩ及びＩ軸反転信号Ｓ／Ｉを、最大出力振幅を±１に規格化している。従って、図１９に得られる差動出力信号ＳｄＩの最大出力振幅は２倍となる。この２倍の差動出力信号ＳｄＩでは過変調となるため、Ｄ／Ａ変換器１２からのＩ軸非反転信号ＳＩ及びＩ軸反転信号Ｓ／Ｉ最大出力振幅を１／２にするか、または１／２の電圧となるように調整する。また、π／４シフトＱＰＳＫ信号のＱ軸についての調整も同様である。
【００５５】
図２０は実施の形態に係るディジタル無線通信装置においてＡＳＫ信号を発生するときの、Ｄ／Ａ変換器１２からのＩ軸非反転信号ＳＩ及びＩ軸反転信号Ｓ／Ｉの時間波形図であり、図２１は実施の形態に係るディジタル無線通信装置においてＡＳＫ信号を発生するときの、差動増幅器１６からのＩ軸差動出力信号ＳｄＩの時間波形図である。ここで、Ｄ／Ａ変換器１２からのＩ軸非反転信号ＳＩ及びＩ軸反転信号Ｓ／Ｉを、π／４シフトＱＰＳＫ信号の場合と同様に、最大出力振幅を±１に規格化している。従って、図２１に得られる差動出力信号ＳｄＩの最大出力振幅は２倍となる。この２倍の差動出力信号ＳｄＩでは過変調となるため、π／４シフトＱＰＳＫ信号の場合と同様に、Ｄ／Ａ変換器１２からのＩ軸非反転信号ＳＩ及びＩ軸反転信号Ｓ／Ｉ最大出力振幅を１／２にするか、または１／２の電圧となるように調整する。また、ＡＳＫ信号のＱ軸についての調整においては、上述のように、所定の直流バイアス電圧に固定する。
【００５６】
なお、ＱＰＳＫ変調器６０において搬送波のみを出力するときや、無線受信部２００におけるπ／４シフトＱＰＳＫ信号又はＡＳＫ信号の復調時において、直交変調器６０の各差動増幅器１６，２６への４つの入力信号を一定の直流バイアス電圧にして固定することにより、ＱＰＳＫ変調器６０から無変調出力信号が出力され、送信搬送波のみを出力することができ、無線受信部２００では、受信搬送波のみが得られる。
【００５７】
実施の形態２．
図１１は本発明に係る実施の形態２である、無線送信部１００ａを備えたディジタル無線通信装置の構成を示すブロック図であり、図１２は図１１のディジタル無線通信装置の無線受信部２００ａの構成を示すブロック図である。
【００５８】
図１１及び図１２に示す実施の形態２に係るディジタル無線通信装置は、実施の形態１に比較して以下の点が異なる。
（ａ）図１１の無線送信部１００ａにおいて、混合器５、帯域通過フィルタ６及びＰＬＬ局部発振器９を削除した。
（ｂ）図１のＰＬＬ局部発振器８に代えて、図１１のＱＰＳＫ変調器６０において無線周波数の搬送波を直接的に変調するための無線搬送波を発生するＰＬＬ局部発振器８ａを設けた。
（ｃ）図１１のＰＬＬ局部発振器８ａと、９０度移相器１８及び混合器１７との間に、送受信切り換えスイッチＳＷｂを挿入し、送受信切り換えスイッチＳＷｂの接点ａを９０度移相器１８及び混合器１７に接続するとともに、その接点ｂを混合器３６に接続した。
（ｄ）図１２において、混合器３２、ＰＬＬ局部発振器３３、帯域通過フィルタ３４及び中間周波増幅器３５を削除した。
（ｅ）図２のＰＬＬ局部発振器３７に代えて、図１２において、送受信切り換えスイッチＳＷｂの接点ｂから局部発振信号を供給するようにした。
【００５９】
図１１及び図１２において、送信時において、ＰＬＬ局部発振器８ａにより発生される局部発振信号は送受信切り換えスイッチＳＷｂの接点ａ側を介して混合器１７及び９０度移相器１８に出力されるが、受信時においては、ＰＬＬ局部発振器８ａにより発生される局部発振信号は送受信切り換えスイッチＳＷｂの接点ｂ側を介して図１２の混合器３６に出力される。
【００６０】
以上説明したように、実施の形態２によれば、無線送信部１００ａ及び無線受信部２００ａにおいて、１段分の中間周波回路部分を削除することにより、実施の形態１に比較して回路構成が簡単になる。
【００６１】
変形例．
以上の実施の形態において、４つのオフセット電圧源１４ａ，１４ｂ，２４ａ，２４ｂを設けているが、２つのオフセット電圧源１４ａ，１４ｂを１つのオフセット電圧源で構成し、２つのオフセット電圧源１４ａ，１４ｂを１つのオフセット電圧源で構成してもよい。また、４つのオフセット電圧源１４ａ，１４ｂ，２４ａ，２４ｂを１つのオフセット電圧源で構成してもよい。
【００６２】
以上の実施の形態において、ＱＰＳＫ変調器６０を用いているが、本発明はこれに限らず、ＱＰＳＫ変調器６０に代えてＱＡＭ変調器を備えてもよい。この場合、ＡＳＫ用ベースバンド処理部２を備えたＡＳＫ信号の発生機構に加えて、各差動増幅器１６，２６への入力信号としてそれぞれ４値以上の多値信号を入力して動作するＱＡＭ変調器を用いることにより、ＱＡＭ信号とＡＳＫ信号とを選択的に発生させることができる。このとき、ＱＡＭの選択を表す選択信号と、ＡＳＫの選択を表す選択信号とを用いる。また、上記ＱＡＭ信号の搬送波漏れ電力が実質的に最小となるように、上記オフセット電圧を変化して設定し、もしくは、上記ＱＡＭ信号の搬送波漏れ電力が所定のレベル以下となるように、上記オフセット電圧を変化して設定することが好ましい。
【００６３】
さらに、上述のように、ＱＰＳＫ変調器に代えて、ＱＡＭ変調器を用いる場合において、ＱＡＭ変調器への入力信号を４値以上の多値信号と、ＱＰＳＫ信号を発生するための上述の所定の多値信号とで切り換えることにより、ＱＡＭ信号とＱＰＳＫ信号とを選択的に発生させることができ、これと、ＡＳＫ用ベースバンド処理部２を備えたＡＳＫ信号の発生機構とを組み合わせることにより、ＱＡＭ信号とＱＰＳＫ信号とＡＳＫ信号とを選択的に発生させることができる。このとき、ＱＡＭの選択を表す選択信号と、ＱＰＳＫの選択を表す選択信号と、ＡＳＫの選択を表す選択信号とを用いる。すなわち、ＡＳＫの選択を表す選択信号に応答して、入力されるディジタルデータ信号に基づいて、Ｉ軸とＱ軸の交点とＩ軸上の信号点との間で変化する２値のＩ軸信号と、ゼロ値のＱ軸信号を発生して上記ＱＡＭ変調器に入力し、ＱＰＳＫの選択を表す選択信号に応答して、入力されるディジタルデータ信号に基づいて、複数値のＩ軸信号と、複数値のＱ軸信号を発生して上記ＱＡＭ変調器に入力し、ＱＡＭの選択を表す選択信号に応答して、入力されるディジタルデータ信号に基づいて、４値以上の複数値のＩ軸信号と、４値以上の複数値のＱ軸信号を発生して上記ＱＡＭ変調器に入力するように構成する。従って、１つのＱＡＭ変調器を用いて、ＡＳＫ信号、ＱＰＳＫ信号又はＱＡＭ信号を発生させることができる。これにより、１つのＱＡＭ変調器を用いて複数の変調が可能となり、複数の変調器を用いる場合に比較して、大幅に小型・軽量化できるとともに、製造コストを大幅に軽減できる。
【００６４】
【発明の効果】
以上詳述したように、第１の発明に係るディジタル変調装置によれば、互いに実質的に直交するＩ軸とＱ軸における複数値のＩ軸信号と複数値のＱ軸信号とに基づいて、搬送波をＱＰＳＫで変調してＱＰＳＫ信号を出力するＱＰＳＫ変調器を備えたディジタル変調装置において、ＡＳＫの選択を表す選択信号に応答して、入力されるディジタルデータ信号に基づいて、Ｉ軸とＱ軸の交点とＩ軸上の信号点との間で変化する２値のＩ軸信号と、ゼロ値のＱ軸信号を発生して上記ＱＰＳＫ変調器に入力する一方、ＱＰＳＫの選択を表す選択信号に応答して、入力されるディジタルデータ信号に基づいて、複数値のＩ軸信号と、複数値のＱ軸信号を発生して上記ＱＰＳＫ変調器に入力する信号処理手段とを備え、入力されるディジタルデータ信号に従って、上記選択信号に応答してＡＳＫとＱＰＳＫとのうちの１つに選択的に切り換えて搬送波を変調する。従って、１つのＱＰＳＫ変調器を用いて、ＡＳＫ信号又はＱＰＳＫ信号を発生させることができる。これにより、１つのＱＰＳＫ変調器を用いて複数の変調が可能となり、複数の変調器を用いる場合に比較して、大幅に小型・軽量化できるとともに、製造コストを大幅に軽減できる。
【００６５】
また、第２の発明に係るディジタル変調装置によれば、互いに実質的に直交するＩ軸とＱ軸における、４値以上の複数値のＩ軸信号と、４値以上の複数値のＱ軸信号とに基づいて、搬送波をＱＡＭで変調してＱＡＭ信号を出力するＱＡＭ変調器を備えたディジタル変調装置において、ＡＳＫの選択を表す選択信号に応答して、入力されるディジタルデータ信号に基づいて、Ｉ軸とＱ軸の交点とＩ軸上の信号点との間で変化する２値のＩ軸信号と、ゼロ値のＱ軸信号を発生して上記ＱＡＭ変調器に入力する一方、ＱＡＭの選択を表す選択信号に応答して、入力されるディジタルデータ信号に基づいて、４値以上の複数値のＩ軸信号と、４値以上の複数値のＱ軸信号を発生して上記ＱＡＭ変調器に入力する信号処理手段とを備え、入力されるディジタルデータ信号に従って、上記選択信号に応答してＡＳＫとＱＡＭとのうちの１つに選択的に切り換えて搬送波を変調する。従って、１つのＱＡＭ変調器を用いて、ＡＳＫ信号又はＱＡＭ信号を発生させることができる。これにより、１つのＱＡＭ変調器を用いて複数の変調が可能となり、複数の変調器を用いる場合に比較して、大幅に小型・軽量化できるとともに、製造コストを大幅に軽減できる。
【００６６】
さらに、第３の発明に係るディジタル変調装置によれば、互いに実質的に直交するＩ軸とＱ軸における、４値以上の複数値のＩ軸信号と、４値以上の複数値のＱ軸信号とに基づいて、搬送波をＱＡＭで変調してＱＡＭ信号を出力するＱＡＭ変調器を備えたディジタル変調装置において、ＡＳＫの選択を表す選択信号に応答して、入力されるディジタルデータ信号に基づいて、Ｉ軸とＱ軸の交点とＩ軸上の信号点との間で変化する２値のＩ軸信号と、ゼロ値のＱ軸信号を発生して上記ＱＡＭ変調器に入力し、ＱＰＳＫの選択を表す選択信号に応答して、入力されるディジタルデータ信号に基づいて、複数値のＩ軸信号と、複数値のＱ軸信号を発生して上記ＱＡＭ変調器に入力し、ＱＡＭの選択を表す選択信号に応答して、入力されるディジタルデータ信号に基づいて、４値以上の複数値のＩ軸信号と、４値以上の複数値のＱ軸信号を発生して上記ＱＡＭ変調器に入力する信号処理手段とを備え、入力されるディジタルデータ信号に従って、上記選択信号に応答してＡＳＫとＱＰＳＫとＱＡＭとのうちの１つに選択的に切り換えて搬送波を変調する。従って、１つのＱＡＭ変調器を用いて、ＡＳＫ信号、ＱＰＳＫ信号又はＱＡＭ信号を発生させることができる。これにより、１つのＱＡＭ変調器を用いて複数の変調が可能となり、複数の変調器を用いる場合に比較して、大幅に小型・軽量化できるとともに、製造コストを大幅に軽減できる。
【図面の簡単な説明】
【図１】本発明に係る実施の形態１であるディジタル無線通信装置の構成を示すブロック図である。
【図２】図１のディジタル無線通信装置の無線受信部２００の構成を示すブロック図である。
【図３】図１のＱＳＰＫ用ベースバンド処理部１の詳細構成を示すブロック図である。
【図４】図３の位相情報生成部７４によって実行される位相情報生成処理を示すテーブルの図である。
【図５】図３の極座標変換部７６によって実行される極座標変換処理を示すテーブルの図である。
【図６】図３のマッピング処理部７１によって実行されるマッピング処理を示すπ／４シフトＱＰＳＫ信号の信号配置図である。
【図７】図３のＱＰＳＫ信号用ベースバンド処理部１から出力されるＡＤＲＳＩ信号及びＡＤＲＳＱ信号のビット割り当てを示す信号フォーマットを示す図である。
【図８】図１の送信共通信号処理部１１の詳細構成を示すブロック図である。
【図９】図１のＡＳＫ用ベースバンド処理部２の詳細構成を示すブロック図である。
【図１０】図９のＡＳＫ用ベースバンド処理部２から出力されるＡＤＲＳＩ信号及びＡＤＲＳＱ信号のビット割り当てを示す信号フォーマットを示す図である。
【図１１】本発明に係る実施の形態２であるディジタル無線通信装置の構成を示すブロック図である。
【図１２】図１１のディジタル無線通信装置の無線受信部２００ａの構成を示すブロック図である。
【図１３】実施の形態に係るディジタル無線通信装置における最適な直流オフセット電圧を決定するための方法を示すグラフであって、直流オフセット電圧に対するＱＰＳＫ信号の搬送波漏れ相対電力及びＡＳＫ信号の変調度を示すグラフである。
【図１４】実施の形態に係るディジタル無線通信装置においてＱＰＳＫ信号の搬送波漏れ相対電力に対する受信ビット誤り率（ＢＥＲ）を示すグラフである。
【図１５】実施の形態に係るディジタル無線通信装置におけるＱＰＳＫ信号の信号点配置を示す図である。
【図１６】実施の形態に係るディジタル無線通信装置におけるπ／４シフトＱＰＳＫ信号の信号点配置を示す図である。
【図１７】実施の形態に係るディジタル無線通信装置におけるＡＳＫ信号の信号点配置を示す図である。
【図１８】実施の形態に係るディジタル無線通信装置においてπ／４シフトＱＰＳＫ信号を発生するときの、Ｄ／Ａ変換器１２からのＩ軸非反転信号ＳＩ及びＩ軸反転信号Ｓ／Ｉの時間波形図である。
【図１９】実施の形態に係るディジタル無線通信装置においてπ／４シフトＱＰＳＫ信号を発生するときの、差動増幅器１６からのＩ軸差動出力信号ＳｄＩの時間波形図である。
【図２０】実施の形態に係るディジタル無線通信装置においてＡＳＫ信号を発生するときの、Ｄ／Ａ変換器１２からのＩ軸非反転信号ＳＩ及びＩ軸反転信号Ｓ／Ｉの時間波形図である。
【図２１】実施の形態に係るディジタル無線通信装置においてＡＳＫ信号を発生するときの、差動増幅器１６からのＩ軸差動出力信号ＳｄＩの時間波形図である。
【符号の説明】
１　ＱＰＳＫ用ベースバンド処理部、２　ＡＳＫ用ベースバンド処理部、３　合成器、４　中間周波増幅器、５　混合器、６　帯域通過フィルタ、７　電力増幅器、８，９，８ａ　ＰＬＬ局部発振器、１０　基準発振器、１１　送信共通信号処理部、１２，２２　Ｄ／Ａ変換器、１３ａ，１３ｂ，２３ａ，２３ｂ　緩衝増幅器、１４ａ，１４ｂ，２４ａ，２４ｂ　オフセット電圧源、１５ａ，１５ｂ，２５ａ，２５ｂ　狭域通信用低域通過フィルタ、１６，２６　差動増幅器、１７，２７　混合器、１８　９０度移相器、２０　コントローラ、３１　低雑音増幅器、３２　混合器、３３　ＰＬＬ局部発振器、３４　帯域通過フィルタ、３５　第１中間周波増幅器、３６　混合器、３７　局部発振器、３８　帯域通過フィルタ、３９　第２中間周波増幅、４０　ＡＳＫ信号再生器、４１，５１　緩衝増幅器、４２，５２　オフセット電圧源、４３，５３　Ａ／Ｄ変換器、４４，５４　受信フィルタ、４５　信号セレクタ、４６，５６　データ再生器、４７，５７　ユニークワード再生器、５０　ＱＰＳＫ信号再生器、６０　ＱＰＳＫ変調器、７１　マッピング処理部、７２　アドレス生成部、７３　Ｓ／Ｐ変換器、７４　位相情報生成部、７５　位相情報積分部、７６　極座標変換部、８１　信号セレクタ、８２　Ｉチャンネル波形整形用ＲＯＭ、８３　Ｑチャンネル波形整形用ＲＯＭ、８４　リタイミング回路、９１　マッピング部、９２　アドレス生成部、１００，１００ａ　無線送信部、２００，２００ａ　無線受信部、３００　送受信アンテナ、ＳＷ，ＳＷａ，ＳＷｂ　送受信切り換えスイッチ。
【図１】
2004147052.tif 000003
【図２】
2004147052.tif 000004
【図３】
2004147052.tif 000005
【図４】
2004147052.tif 000006
【図５】
2004147052.tif 000007
【図６】
2004147052.tif 000008
【図７】
2004147052.tif 000009
【図８】
2004147052.tif 000010
【図９】
2004147052.tif 000011
【図１０】
2004147052.tif 000012
【図１１】
2004147052.tif 000013
【図１２】
2004147052.tif 000014
【図１３】
2004147052.tif 000015
【図１４】
2004147052.tif 000016
【図１５】
2004147052.tif 000017
【図１６】
2004147052.tif 000018
【図１７】
2004147052.tif 000019
【図１８】
2004147052.tif 000020
【図１９】
2004147052.tif 000021
【図２０】
2004147052.tif 000022
【図２１】
2004147052.tif 000023